(57)【要約】【課題】音響信号とは関係なく、所定のタイミングで振動素子を振動させることができ、かつ、振動素子専用の配線を必要としない電気音響変換方法等を提供する。【解決手段】電気音響変換方法は、F1≠F2とし、電気音響変換装置が、音響信号と、可聴帯域外の周波数F1の第一信号と、可聴帯域外の周波数F2の第二信号との合成信号から周波数F1の第一成分を抽出する第一フィルタリングステップと、電気音響変換装置が、合成信号から周波数F2の第二成分を抽出する第二フィルタリングステップと、電気音響変換装置が、第一成分と第二成分とを合成して周波数|F1−F2|の駆動信号を合成する駆動信号合成ステップと、電気音響変換装置が、駆動信号により|F1−F2|の固有振動数を有する振動素子を振動させる振動ステップと、電気音響変換装置が、合成信号を再生する再生ステップとを含む。【選択図】図３
2018064198.tif 000002
【特許請求の範囲】
【請求項１】
F1≠F2とし、電気音響変換装置が、音響信号と、可聴帯域外の周波数F1の第一信号と、可聴帯域外の周波数F2の第二信号との合成信号から周波数F1の第一成分を抽出する第一フィルタリングステップと、
電気音響変換装置が、前記合成信号から周波数F2の第二成分を抽出する第二フィルタリングステップと、
電気音響変換装置が、前記第一成分と前記第二成分とを合成して周波数|F1−F2|の駆動信号を合成する駆動信号合成ステップと、
電気音響変換装置が、前記駆動信号により|F1−F2|の固有振動数を有する振動素子を振動させる振動ステップと、
電気音響変換装置が、前記合成信号を再生する再生ステップとを含む、
電気音響変換方法。
【請求項２】
請求項１の電気音響変換方法であって、
音響再生装置が、前記第一信号を生成する第一信号生成ステップと、
音響再生装置が、前記第二信号を生成する第二信号生成ステップと、
音響再生装置が、前記音響信号と前記第一信号と前記第二信号とを合成して前記合成信号を生成する合成ステップと、を更に含む、
電気音響変換方法。
【請求項３】
請求項１または請求項２の電気音響変換方法であって、
前記周波数F1及び前記周波数F2はそれぞれ32kHz以上であり、
前記周波数|F1−F2|は200Hz以下である、
電気音響変換方法。
【請求項４】
請求項２または請求項３の電気音響変換方法であって、
前記音響再生装置から前記電気音響変換装置へ音響信号を送信すると共に電源供給を行うことができるコネクタ規格により、前記電気音響変換装置と前記音響再生装置とは接続されている、
電気音響変換方法。
【請求項５】
請求項４の電気音響変換方法であって、
前記電気音響変換装置と前記音響再生装置とはUSB Type-Cによって接続されている、
電気音響変換方法。
【請求項６】
F1≠F2とし、第一フィルタリング部が、音響信号と、可聴帯域外の周波数F1の第一信号と、可聴帯域外の周波数F2の第二信号との合成信号から周波数F1の第一成分を抽出する第一フィルタリングステップと、
第二フィルタリング部が、前記合成信号から周波数F2の第二成分を抽出する第二フィルタリングステップと、
駆動信号合成部が、前記第一成分と前記第二成分とを合成して周波数|F1−F2|の駆動信号を合成する駆動信号合成ステップと、
|F1−F2|の固有振動数を有する振動素子を含む振動部が、前記駆動信号により振動する振動ステップとを含む、
振動素子駆動方法。
【請求項７】
F1≠F2とし、音響信号と、可聴帯域外の周波数F1の第一信号と、可聴帯域外の周波数F2の第二信号との合成信号から周波数F1の第一成分を抽出する第一フィルタリング部と、
前記合成信号から周波数F2の第二成分を抽出する第二フィルタリング部と、
前記第一成分と前記第二成分とを合成して周波数|F1−F2|の駆動信号を合成する駆動信号合成部と、
|F1−F2|の固有振動数を有する振動素子を含み、前記駆動信号により振動する振動部と、
前記合成信号を再生する再生部とを含む、
電気音響変換装置。
【請求項８】
F1≠F2とし、音響信号と、可聴帯域外の周波数F1の第一信号と、可聴帯域外の周波数F2の第二信号との合成信号から周波数F1の第一成分を抽出する第一フィルタリング部と、
前記合成信号から周波数F2の第二成分を抽出する第二フィルタリング部と、
前記第一成分と前記第二成分とを合成して周波数|F1−F2|の駆動信号を合成する駆動信号合成部と、
|F1−F2|の固有振動数を有する振動素子を含み、前記駆動信号により振動する振動部とを含む、
振動素子駆動装置。
【発明の詳細な説明】
【技術分野】
【０００１】
本発明は、利用者の耳に装着される電気音響変換装置に内蔵される、または、電気音響変換装置とは別体の振動素子を駆動させる振動素子駆動方法、その振動素子駆動方法で振動素子を駆動させながら電気信号(音を表す信号(以下、音響信号ともいう))を音波(可聴音)に変換する電気音響変換方法、及びそれらの装置に関する。
【背景技術】
【０００２】
利用者の耳に装着され、内蔵する振動素子を駆動させながら音響信号を音波に変換する電気音響変換装置として、特許文献１、非特許文献１が知られている。
【０００３】
また、利用者の耳に装着され、別体の振動素子を駆動させながら音響信号を音波に変換する電気音響変換装置として、特許文献２が知られている。
【先行技術文献】
【特許文献】
【０００４】
【特許文献１】特開平６−２６９０７４号公報
【特許文献２】特開２０１２−５０００３号公報
【非特許文献】
【０００５】
【非特許文献１】「めざましイヤホン」、[online]、KING JIM CO.,LTD、[平成28年9月15日検索]、インターネット<URL:http://www.kingjim.co.jp/sp/nmr10/>
【発明の概要】
【発明が解決しようとする課題】
【０００６】
しかしながら、特許文献１では振動素子に流れる電流はスピーカに流れる電流と同じであり、特許文献２では振動素子に流れる電流はスピーカに流れる電流に基づき生成される。特許文献１、２では、振動素子は音楽に合わせて振動し、音響効果の増大を図っている。このような構成の場合、利用者に音楽以外の何らかの情報を報知するための手段として振動素子を用いることはできない。
【０００７】
また、非特許文献１では、音楽とは関係なく、アラームまたはタイマーとして所定の時刻になったことを報知するために振動素子を振動させる。しかしながら、振動素子に流す電流とスピーカに流す電流とを同じ配線により流すと、振動素子を振動させる際にスピーカで再生する音楽に影響を及ぼすという問題が発生する恐れがある。また、それを避けるためには、振動素子に電流を流すために専用の配線が必要となる。
【０００８】
本発明は、音響信号とは関係なく、所定のタイミングで振動素子を振動させることができ、かつ、振動素子専用の配線を必要としない電気音響変換方法、振動素子駆動方法、及びそれらの装置を提供することを目的とする。
【課題を解決するための手段】
【０００９】
上記の課題を解決するために、本発明の一態様によれば、電気音響変換方法は、F1≠F2とし、電気音響変換装置が、音響信号と、可聴帯域外の周波数F1の第一信号と、可聴帯域外の周波数F2の第二信号との合成信号から周波数F1の第一成分を抽出する第一フィルタリングステップと、電気音響変換装置が、合成信号から周波数F2の第二成分を抽出する第二フィルタリングステップと、電気音響変換装置が、第一成分と第二成分とを合成して周波数|F1−F2|の駆動信号を合成する駆動信号合成ステップと、電気音響変換装置が、駆動信号により|F1−F2|の固有振動数を有する振動素子を振動させる振動ステップと、電気音響変換装置が、合成信号を再生する再生ステップとを含む。
【００１０】
上記の課題を解決するために、本発明の他の態様によれば、振動素子駆動方法は、F1≠F2とし、第一フィルタリング部が、音響信号と、可聴帯域外の周波数F1の第一信号と、可聴帯域外の周波数F2の第二信号との合成信号から周波数F1の第一成分を抽出する第一フィルタリングステップと、第二フィルタリング部が、合成信号から周波数F2の第二成分を抽出する第二フィルタリングステップと、駆動信号合成部が、第一成分と第二成分とを合成して周波数|F1−F2|の駆動信号を合成する駆動信号合成ステップと、|F1−F2|の固有振動数を有する振動素子を含む振動部が、駆動信号により振動する振動ステップとを含む。
【００１１】
上記の課題を解決するために、本発明の他の態様によれば、電気音響変換装置は、F1≠F2とし、音響信号と、可聴帯域外の周波数F1の第一信号と、可聴帯域外の周波数F2の第二信号との合成信号から周波数F1の第一成分を抽出する第一フィルタリング部と、合成信号から周波数F2の第二成分を抽出する第二フィルタリング部と、第一成分と第二成分とを合成して周波数|F1−F2|の駆動信号を合成する駆動信号合成部と、|F1−F2|の固有振動数を有する振動素子を含み、駆動信号により振動する振動部と、合成信号を再生する再生部とを含む。
【００１２】
振動素子駆動装置は、F1≠F2とし、音響信号と、可聴帯域外の周波数F1の第一信号と、可聴帯域外の周波数F2の第二信号との合成信号から周波数F1の第一成分を抽出する第一フィルタリング部と、合成信号から周波数F2の第二成分を抽出する第二フィルタリング部と、第一成分と第二成分とを合成して周波数|F1−F2|の駆動信号を合成する駆動信号合成部と、|F1−F2|の固有振動数を有する振動素子を含み、駆動信号により振動する振動部とを含む。
【発明の効果】
【００１３】
本発明によれば、音響信号とは関係なく、所定のタイミングで振動素子を振動させることができ、かつ、振動素子専用の配線を必要としないという効果を奏する。
【図面の簡単な説明】
【００１４】
【図１】うなりの周波数を説明するための図。
【図２】第一実施形態に係る電気音響変換システムの機能ブロック図。
【図３】第一実施形態に係る電気音響変換システムの処理フローの例を示す図。
【発明を実施するための形態】
【００１５】
以下、本発明の実施形態について、説明する。なお、以下の説明に用いる図面では、同じ機能を持つ構成部や同じ処理を行うステップには同一の符号を記し、重複説明を省略する。
【００１６】
＜第一実施形態のポイント＞
本実施形態では、可聴帯域外の周波数F1の第一信号と可聴帯域外の周波数F2の第二信号とのうなり(周波数がわずかに異なる2つの波が干渉して、振幅がゆっくり周期的に変わる合成波を生ずる現象)により、振動素子を駆動させる。例えば、F1=40kHz、F2=40.1kHzとすると第一信号と第二信号とのうなりの振動数(周波数)は、F0=|F1-F2|=100Hzとなる。図１の破線部分がうなりの周波数F0に相当する。
【００１７】
＜第一実施形態＞
図２は第一実施形態に係る電気音響変換システムの機能ブロック図を、図３はその処理フローを示す。
【００１８】
電気音響変換システム１０は、電気音響変換装置１００と音響再生装置２００とを含む。音響再生装置２００は例えばスマートフォン等からなるプレーヤーであり、音響信号を電気音響変換装置１００に出力する。電気音響変換装置１００は例えばイヤホンやヘッドホン等からなり利用者によって装着され、音響再生装置２００から出力された音響信号を受け取り、音波に変換する。
【００１９】
電気音響変換装置１００と音響再生装置２００とは、音響再生装置２００から電気音響変換装置１００へ音響信号を送信すると共に電源供給を行うことができるコネクタ規格により接続され、電気音響変換装置１００内において必要とされる電力は、このコネクタ規格を介して音響再生装置２００から給電される。例えば、USB Type-Cによって接続されている。なお、従来技術(例えば非特許文献１)では、振動素子を駆動させるために電気音響変換装置側に何らかの給電手段を設ける必要があり(例えば非特許文献１では電池、端子、及びそれらを収容するケースが必要)、電気音響変換装置側のサイズが大きくなるという問題がある。本実施形態では、USB Type-Cを介して音響再生装置２００から電気音響変換装置１００へ電源供給を行うため、電気音響変換装置側のサイズを小さくすることができる。
【００２０】
＜音響再生装置２００＞
音響再生装置２００は、第一信号生成部２０１、第二信号生成部２０２、及び合成部２０３を含む(図１参照)。
【００２１】
音響再生装置２００は、例えば、スマートフォン等のプレーヤーを含み、電気音響変換装置１００側に設けられた振動素子の振動を制御する機器である。音響再生装置２００は、R/Lのステレオ再生ができる音響機器であり、RchとLchにそれぞれ後述する可聴帯域外の周波数の信号を与えることができる。以下では、1ch分の説明をしているが、Rchの音響信号とLchの音響信号に対してそれぞれ処理を行う。
【００２２】
＜第一信号生成部２０１及び第二信号生成部２０２＞
第一信号生成部２０１は、可聴帯域外の周波数F1の第一信号x1を生成し（Ｓ１）、合成部２０３に出力する。
【００２３】
第二信号生成部２０２は、可聴帯域外の周波数F2の第二信号x2を生成し（Ｓ２）、合成部２０３に出力する。ただし、F1≠F2とする。
【００２４】
後述する電気音響変換装置１００に含まれる振動素子の固有振動数をF0とすると、F0=|F1-F2|を満たすように第一信号x1の周波数F1と第二信号x2の周波数F2とを設定すればよい。
【００２５】
＜合成部２０３＞
合成部２０３は、音響信号x3と第一信号x1と第二信号x2とを合成して合成信号x4を生成し（Ｓ３）、電気音響変換装置１００へ送信する。例えば、x4=x3+(x1-x2)として、合成信号x4を生成する。なお、音響信号x3は、音響再生装置２００内の図示しない記憶部に予め記憶しておき利用に際し取り出す構成としてもよいし、通信回線等を介して外部から取得する構成としてもよい。音響信号x3の音源としては、音響再生装置で再生される如何なる音源であってもよく、例えば、歌唱、楽曲の他、音程の無い朗読も含み、さらに、人の声に限定されるものでなく、特定周波数の環境音、自動車等の乗り物のエンジン音、前記乗り物の走行音、動物の鳴き声、ラジオやテレビ等で再生される様々な音源が想定される。
【００２６】
上述のＳ１〜Ｓ３は、振動素子を駆動する際に行えばよく、振動素子を駆動しないときは、(i)音響信号x3をそのまま合成信号x4として電気音響変換装置１００へ送信してもよいし(つまりx4=x3とし、第一信号生成部２０１及び第二信号生成部２０２における処理を停止する)、(ii)第一信号x1と第二信号x2との少なくとも何れか一方の出力を停止してもよいし(つまり、x4=x3+x1またはx4=x3+x2とし、第一信号生成部２０１または第二信号生成部２０２における処理を停止する)、(iii)F0≠|F1-F2|となるように第一信号x1の周波数F1と第二信号x2の周波数F2との少なくとも何れかを変更するように制御してもよい(つまり、x4=x3+(x1-x2)だが、F0≠|F1-F2|)。この場合、合成信号x4に振動素子駆動用の成分が含まれるわけではないため、振動素子は駆動しない。
【００２７】
＜電気音響変換装置１００＞
電気音響変換装置１００は、第一フィルタリング部１０２、第二フィルタリング部１０３、駆動信号合成部１０４、振動部１０５、及び再生部１０６を含む。
【００２８】
＜第一フィルタリング部１０２及び第二フィルタリング部１０３＞
第一フィルタリング部１０２は、合成信号x4を受け取り、合成信号x4から周波数F1の第一成分を抽出し（Ｓ１０２）、駆動信号合成部１０４に出力する。
【００２９】
第二フィルタリング部１０３は、合成信号x4を受け取り、合成信号x4から周波数F2の第二成分を抽出し（Ｓ１０３）、駆動信号合成部１０４に出力する。
【００３０】
＜駆動信号合成部１０４＞
駆動信号合成部１０４は、第一成分と前記第二成分とを受け取り、これらの成分を合成して周波数|F1−F2|の駆動信号x5を合成し（Ｓ１０４）、振動部１０５へ出力する。
【００３１】
例えば、第一成分と第二成分との差分を駆動信号x5とする。このようにして、周波数|F1−F2|のうなりを含む駆動信号x5を合成する。図１の第一信号、第二信号及び合成波(実線)が、それぞれ第一成分、第二成分及び駆動信号に対応する。
【００３２】
＜振動部１０５＞
振動部１０５は、駆動信号x5を受け取り、駆動信号x5により|F1−F2|の固有振動数を有する振動素子を振動させる（Ｓ１０５）。
【００３３】
よって、音響再生装置２００側では、振動素子の固有振動数に合わせて周波数F1,F2を設定すればよい。
【００３４】
本実施形態では、振動素子として、コイルと磁石、錘、バネを内蔵した、リニア駆動型の振動素子を用いる。ただし、リニア駆動型の振動素子に限定する必要はなく、利用者が耳に装着した際に、その振動を知覚することができる駆動型であればどのようなものであってもよい。本実施形態では、振動素子は、イヤホン等からなる電気音響変換装置１００に内蔵されるものとする。
【００３５】
本実施形態では、振動素子は交流信号で駆動するもの(ACモータ等)とする。ただし、振動素子として直流信号で駆動するもの(DCモータ等)を用いてもよい。その場合には、図示しない整流回路において、周波数|F1−F2|の駆動信号x5を整流し、振動素子に出力する。
【００３６】
なお、振動部１０５は、図示しない平滑回路を有し、駆動信号x5を平滑化する。例えば、図１の合成波の実線(平滑化前の駆動信号x5)を破線(平滑化後の駆動信号x5)に変換する。さらに、振動部１０５は、図示しない増幅回路を有し、振動素子を振動させるために必要な電圧レベルまで平滑化した駆動信号x5を増幅する。なお、周知のボリューム等を設け、増幅する電圧レベルを任意に調整可能としてもよい。
【００３７】
なお、周波数|F1−F2|は、人がその振動を知覚することができればよく、0.1Hz〜500Hzに設定すればよい。知覚のし易さを考慮すると200Hz以下とすることが望ましい。特に、20Hz以下であることが内耳に振動音を伝達させない点で好ましい。
【００３８】
通常、リニア駆動型の振動素子の固有振動数にはバラつきがあり、制御するのが容易ではない。これは、従来は電気音響変換装置内に発振器が有り、この発振器の周波数を可変することが困難だからである。本実施形態では、音響再生装置２００側で、周波数F1,F2を微調整すればよく、容易に制御することができる。例えば、スマートフォン等からなる音響再生装置２００において、ソフトウェアにより周波数F1,F2を微調整し、所望の周波数からなる第一信号x1及び第二信号x2を容易に生成することができる。
【００３９】
＜再生部１０６＞
再生部１０６は、合成信号x4を受け取り、再生する（Ｓ１０６）。例えば、再生部１０６は、スピーカを含み、合成信号x4を可聴領域の音響信号(20Hz〜20kHz)に変換して出力する。なお、振動素子を駆動するときの合成信号x4には、音響信号x3と第一信号x1と第二信号x2の成分が含まれる。本実施形態では、音響信号x3の鑑賞に影響を与えないように、第一信号x1、第二信号x2の周波数を可聴帯域外としている。また、周波数F1、周波数F2は、可聴帯域の成分(合成信号x4に含まれる音響信号x3の成分)とうなりを生じさせない程度に高い周波数とする。例えば、可聴帯域外は20kHz以上ではあるが、実際には聞こえづらいとされる16kHzの2倍以上の32kHz以上とする。このように周波数F1、周波数F2を設定することで、再生部１０６に含まれるスピーカでは、可聴帯域外の周波数F1,F2の成分は再生されず、音響信号x3の成分のみが再生される。そのため、音楽等の聴取に影響を与えない。
【００４０】
なお、前述の通り、振動素子を駆動しないときは、(i)音響信号x3をそのまま合成信号x4として電気音響変換装置１００へ送信してもよいし、(ii)第一信号x1と第二信号x2との少なくとも何れか一方の出力を停止してもよいし、(iii)F0≠|F1-F2|となるように第一信号x1の周波数F1と第二信号x2の周波数F2との少なくとも何れかを変更するように制御してもよい。この場合、再生部１０６において音響信号x3に対応する音が再生されるが、合成信号x4に振動素子を駆動させるための成分は含まれないため、振動部１０５は振動素子を振動させない。
【００４１】
なお、元の音響信号x3に周波数F0の成分が含まれる可能性はあるが、それは周波数F1と周波数F2とのうなりによるものではない。そのため、元の音響信号x3に周波数F0の成分が含まれる場合であっても、その周波数F0の成分から第一フィルタリング部１０２、第二フィルタリング部１０３において、周波数F1、周波数F2の成分が抽出されるわけではなく、駆動信号合成部１０４で周波数|F1−F2|の駆動信号x5を合成されることもない。
【００４２】
＜効果＞
以上の構成により、音響信号とは関係なく、所定のタイミングで振動素子を振動させることができ、かつ、振動素子専用の配線を必要としないという効果を奏する。また、振動素子がイヤホン等の利用者に装着されるものに内蔵されるため、利用者はその振動を感知しやすい。
【００４３】
さらに、このような構成により、電気音響変換装置側の復調部分が比較的容易に実現できる。
【００４４】
また、このような構成により、位相制御により、振動素子の駆動時の突入電流を阻止することができる。
【００４５】
なお、2つの周波数F1,F2のうなりではなく、1つの周波数F0の制御信号で振動素子を制御する方法も考えられるが、その場合には、楽器等の倍音成分で誤動作する可能性が高い。また、この場合、振動の強度を変更するには制御信号のレベルを可変することになるが高レベルでは音響信号を劣化させる可能性がある。よって、本実施形態の効果を得ることはできない。
【００４６】
また、振動素子を制御する制御信号を送信するために専用の回線を用意する方法も考えられるが、スマートフォン等の音響再生装置側の改造が必要となる。よって、本実施形態の効果を得ることはできない。
【００４７】
＜変形例＞
本実施形態では、ステレオチャネルの音響信号について説明したが、モノラル、3チャネル以上の多チャネルであっても同様の処理を各チャネルについて行うことで、本実施形態を適用できる。また、2チャネル以上のうち、少なくとも1チャネルの音響信号に対して同様の処理を行うことで、音響信号とは関係なく、所定のタイミングで振動素子を振動させることができる。
【００４８】
本実施形態では、音響再生装置２００側でDSP(Digital Signal Process)により、第一信号x1、第二信号x2、合成信号x4を生成する構成としたが、(i)予め第一信号x1と第二信号x2とを合成しておき、図示しない記憶部または外部から取得した音響信号x3と合成する構成としてもよいし、(ii)音響信号x3が予め取得可能ならば、合成信号x4の再生に先立ち予め、第一信号x1、第二信号x2及び音響信号x3から合成信号x4を生成しておき、これを電気音響変換装置１００に送信する構成としてもよい。
【００４９】
本実施形態では、振動素子がイヤホン等に内蔵されるものとしたが、振動素子がイヤホン等に内蔵されるものに限らず、特許文献２のように音響信号を再生するイヤホン部分と振動する振動部分とを別体として配置し、振動部分を振動に特化してもよい。振動部分を利用者に装着(接触)させることで、利用者は触覚により振動を知覚することができる。このとき、振動部分を含む別体を、第一フィルタリング部１０２、第二フィルタリング部１０３、駆動信号合成部１０４、及び振動部１０５を含み、再生部１０６を含まない振動素子駆動装置として機能させてもよい。
【００５０】
本実施形態では、駆動信号合成部１０４において、第一成分と第二成分との差分を駆動信号x5としているが、第一成分と第二成分との和を駆動信号x5としてもよい。このようにしても、周波数|F1−F2|のうなりを含む駆動信号x5を合成することができる。
【００５１】
BLE(Bluetooth(登録商標) Low Energy)内蔵の電気音響変換装置及びBLEに対応した電気音響変換装置に第一実施形態と同様の機能を付与してもよい。なお、この場合、電気音響変換装置への給電には、USB Type-Cではなく電気音響変換装置内部の電池を用いてもよい。なお、振動素子の駆動信号を、BLE経由で送信する構成も考えられるが、回路が煩雑になる。この場合、音響再生装置２００は、周波数F0の駆動信号を生成し、音響信号x3に重畳させることなく、BLE経由で送信する。電気音響変換装置１００は、音響信号x3を再生部１０６で再生し、周波数F0の駆動信号に基づき振動部１０５で振動素子を振動させる。
【００５２】
本実施形態では、電気音響変換装置１００と音響再生装置２００とは、音響再生装置２００から電気音響変換装置１００へ音響信号を送信すると共に電源供給を行うことができるコネクタ規格(例えばUSB Type-C)により接続されているが、他の接続方式を用いてもよい。例えば、USB Type-Cに対応していない音響再生装置（例えばスマートフォン）の場合、イヤホンジャック等から音響信号を取り出す構成としてもよい。このような構成であっても、音響信号とは関係なく、所定のタイミングで振動素子を振動させることができ、かつ、振動素子専用の配線を必要としないという効果を奏することはできる。ただし、音響再生装置２００から電気音響変換装置１００へ電源供給を行うことはできないため、振動素子を駆動させるために別途電源供給を行う必要がある。
【００５３】
＜その他の変形例＞
本発明は上記の実施形態及び変形例に限定されるものではない。例えば、上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能である。
【００５４】
＜プログラム及び記録媒体＞
また、上記の実施形態及び変形例で説明した各装置における各種の処理機能をコンピュータによって実現してもよい。その場合、各装置が有すべき機能の処理内容はプログラムによって記述される。そして、このプログラムをコンピュータで実行することにより、上記各装置における各種の処理機能がコンピュータ上で実現される。
【００５５】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００５６】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させてもよい。
【００５７】
このようなプログラムを実行するコンピュータは、例えば、まず、可搬型記録媒体に記録されたプログラムもしくはサーバコンピュータから転送されたプログラムを、一旦、自己の記憶部に格納する。そして、処理の実行時、このコンピュータは、自己の記憶部に格納されたプログラムを読み取り、読み取ったプログラムに従った処理を実行する。また、このプログラムの別の実施形態として、コンピュータが可搬型記録媒体から直接プログラムを読み取り、そのプログラムに従った処理を実行することとしてもよい。さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、プログラムには、電子計算機による処理の用に供する情報であってプログラムに準ずるもの（コンピュータに対する直接の指令ではないがコンピュータの処理を規定する性質を有するデータ等）を含むものとする。
【００５８】
また、コンピュータ上で所定のプログラムを実行させることにより、各装置を構成することとしたが、これらの処理内容の少なくとも一部をハードウェア的に実現することとしてもよい。
【産業上の利用可能性】
【００５９】
本発明は、音響信号とは関係なく、所定のタイミングで振動素子を振動させる様々な状況で用することができる。例えば、音楽等を聴いているときに、タイマーやアラームにより、所定の時刻になったことを利用者に知らせるために利用することができる。また、音楽等を聴きながら移動している場合に、GPS等の位置情報を元に、目的地近傍になったことや立ち入り禁止区域であることを利用者に知らせるために利用することができる。また、音楽等を聴きながらランニングする場合等、何らかの方法で自動車の接近を検知し、自動車の接近を利用者に知らせることができる。
【図１】
2018064198.tif 000003
【図２】
2018064198.tif 000004
【図３】
2018064198.tif 000005